(57)【要約】【課題】室外機の周囲スペースを有効利用することが可能な空気調和機の室外機を提供する。【解決手段】本発明は、上下方向に延びる仕切部材２２により、圧縮機１２が設けられた機械室１４と熱交換器及びファンが設けられた熱交換器室２０とに内部が仕切られ、機械室の正面を取り外し可能に覆う正面カバー８を有する空気調和機の室外機１であって、仕切部材の上に機械室１４と熱交換器室２０とに亘って配置された、室外機を制御する制御ボックス２４と、この制御ボックスを側方から支持する制御ボックス支持部材とを有する空気調和機の室外機１において、制御ボックス支持部材は、正面カバー８と制御ボックス２４の正面カバー８に向かう側面２９との間に介在し、仕切部材２２の上端に取り外し可能に取り付けられ、制御ボックス２４を正面カバー８を取り外したときに形成される開口から向きを変えながら取り出すのに十分な奥行きを形成する寸法を奥行き方向に備える。【選択図】      図１
2005048974.tif 000002
【特許請求の範囲】
【請求項１】
上下方向に延びる仕切部材により、圧縮機が設けられた機械室と熱交換器及びファンが設けられた熱交換器室とに内部が仕切られ、上記機械室の正面を取り外し可能に覆う正面カバーを有する空気調和機の室外機であって、
前記仕切部材の上に上記機械室と上記熱交換器室とに亘って配置された、前記室外機を制御する制御ボックスと、該制御ボックスを側方から支持する制御ボックス支持部材とを有する空気調和機の室外機において、
上記制御ボックス支持部材は、前記正面カバーと前記制御ボックスの前記正面カバーに向かう側面との間に介在し、前記仕切部材の上端に取り外し可能に取り付けられ、前記制御ボックスを前記正面カバーを取り外したときに形成される開口から向きを変えながら取り出すのに十分な奥行きを形成する寸法を奥行き方向に備える、ことを特徴とする空気調和機の室外機。
【請求項２】
前記制御ボックスの少なくとも１つの角部が、面取りされている請求項１に記載の空気調和機の室外機。
【請求項３】
空気調和機の室外機を２室に仕切る上下方向に延びる仕切部材より上方で該２室に亘って配置された、室外機を制御する制御ボックスを該制御ボックスを側方から支持する制御ボックス支持部材から取り外すことにより外部に取り出す制御ボックスの取り出し方法において、
正面カバーを取り外して、前記制御ボックスを外部に取り出す開口を形成する段階と、
前記制御ボックス支持部材を前記制御ボックスから取り外すことにより、前記支持ボックスの奥行き方向にスペースを確保して、前記制御ボックスを取り外し可能にする段階と、
前記制御ボックスの向きを変えながら、前記制御ボックスの前記開口に面する側から前記開口を通じて取り出す段階と、を有することを特徴とする制御ボックスの取り出し方法。
【請求項４】
前記制御ボックスの下面を前記仕切部材の上端で支持しつつ、該上端に対して摺動させながら取り出すこと段階を有する、請求項３に記載の取り出し方法。
【発明の詳細な説明】
【０００１】
【発明の属する技術分野】
本発明は、空気調和機の室外機及び制御ボックスの取り出し方法に関し、特に、周囲スペースを有効に活用可能な空気調和機の室外機、及び容易に取り出し可能な制御ボックスの取り出し方法に関する。
【０００２】
【従来の技術】
従来から、室内温度を調整するのに空気調和機が用いられている。この空気調和機は、室内空気と冷媒との間で吸熱／放熱を行う室内機と、室外空気と冷媒との間で放熱／吸熱を行う室外機とを有し、冷媒を室内外で循環させることにより、室内温度を調整している。
従来のインバータ式の空気調和機の室外機は、例えば、特許文献１に開示されており、図５に示すように、従来の室外機５０は、底板５１ａ、天板５１ｂ、フロントパネル５１ｃ、及びサイドパネル５１ｄによって室外機の外枠５１が形成され、この室外機の外枠５１内には、圧縮機５２が設けられた機械室５４と、送風ファン５６及び熱交換器５８が設けられた熱交換器室６０とが仕切板６２によって仕切られ、２つの部屋５４，６０が形成されている。
また、仕切板６２の上端と天板５１ｂとの間のスペースには、機械室５４及び熱交換器室６０の２室にわたって制御ボックス６４が配置され、この制御ボックス６４内のコントローラ６４ａがインバーターによる室外機の運転をコントロールしている。制御ボックス６４は、その下面が仕切板６２の上端に支持されながら、外枠５１からボルト等の制御ボックス支持部材を介して側方から支持されている。
さらに、制御ボックス６４の熱交換器室６０側の部分にはフィン６６が設けられ、制御ボックス６４の背面部分にはフィン６６を冷却する風が通る通風路６８が設けられている。
【０００３】
【特許文献１】
特開２０００−１６１７１７号公報
【０００４】
【発明が解決しようとする課題】
しかしながら、従来の室外機５０において、特にインバータ方式の場合には、機械室５４内の下方に配置された圧縮機５２を含む関連機器がコントローラ６４ａによりなるべく近くで制御されるのが望ましく、一方でコントローラ６４ａの放熱を行なう必要があるので、制御ボックス６４は、室外機５０内の上方で機械室５４と熱交換器室６０の２つの部屋に亘ってまたがって配置されている。
したがって、コントローラ６４ａについて保守点検や修理等のサービスを行う際には、室外機５０の天板５１ｂ、フロントパネル５１ｃ及びサイドパネル５１ｄの３つの面を一旦外し、次いで制御ボックス支持部材を制御ボックス６４から取り外した後に、制御ボックス６４を室外機の外部に取り出さなければならず、制御ボックス６４の取り出し作業に時間を要する問題があった。
さらに、従来の室外機５０においては、コントローラのサービスの際、天板５１ｂ、フロントパネル５１ｃ及びサイドパネル５１ｄを取り外すためにフロントパネル５１ｃ側からのみならず側方でもネジ等の固定具を外す必要があることから、作業空間確保の必要性から、例えば、室外機５０の天板５１ｂの上に別の室外機を段積みして設置したり、室外機５０のサイドパネル５１ｄに隣接して別の室外機を横方向に連接して設置したりすることができず、室外機５０の周囲のスペースを有効利用することができない問題があった。
【０００５】
そこで、本発明は、上述した従来技術の問題を解決するためになされたものであり、本発明の目的は、空気調和機の室外機の制御ボックスのサービスを行う際、制御ボックスを室外機の正面から容易に取り出すことができる制御ボックスの取り出し方法を提供することにある。
本発明の目的は、周囲スペースを有効に活用可能な空気調和機の室外機を提供することにある。
【０００６】
【課題を解決するための手段】
上記の目的を達成するために、本発明の空気調和機の室外機は、上下方向に延びる仕切部材により、圧縮機が設けられた機械室と熱交換器及びファンが設けられた熱交換器室とに内部が仕切られ、上記機械室の正面を取り外し可能に覆う正面カバーを有する空気調和機の室外機であって、前記仕切部材の上に上記機械室と上記熱交換器室とに亘って配置された、前記室外機を制御する制御ボックスと、該制御ボックスを側方から支持する制御ボックス支持部材とを有する空気調和機の室外機において、上記制御ボックス支持部材は、前記正面カバーと前記制御ボックスの前記正面カバーに向かう側面との間に介在し、前記仕切部材の上端に取り外し可能に取り付けられ、前記制御ボックスを前記正面カバーを取り外したときに形成される開口から向きを変えながら取り出すのに十分な奥行きを形成する寸法を奥行き方向に備える構成としている。
さらに、制御ボックスの少なくとも１つの角部が面取りされていてもよい。
上記の目的を達成するために、本発明の制御ボックスの取り出し方法は、空気調和機の室外機を２室に仕切る上下方向に延びる仕切部材より上方で該２室に亘って配置された、室外機を制御する制御ボックスを該制御ボックスを側方から支持する制御ボックス支持部材から取り外すことにより外部に取り出す制御ボックスの取り出し方法において、正面カバーを取り外して、前記制御ボックスを外部に取り出す開口を形成する段階と、前記制御ボックス支持部材を前記制御ボックスから取り外すことにより、前記支持ボックスの奥行き方向にスペースを確保して、前記制御ボックスを取り外し可能にする段階と、前記制御ボックスの向きを変えながら、前記制御ボックスの前記開口に面する側から前記開口を通じて取り出す段階と、を有する構成としている。
さらに、前記制御ボックスの下面を前記仕切部材の上端で支持しつつ、該上端に対して摺動させながら取り出すこと段階を有してもよい。
【０００７】
【作用】
このように構成された本発明においては、制御ボックス支持部材を正面カバーと制御ボックスの正面カバーに向かう側面との間に介在させるので、室外機の機械室の正面カバーを取り外すだけで、仕切部材の上端から制御ボックス支持部材を取り外すことが可能となり、制御ボックス支持部材を取り外すことにより、制御ボックスの奥行き方向に、制御ボックスの向きを変えながら正面カバーを取り外すことにより形成された開口から制御ボックスを取り出すスペースを形成することが可能となる。
この結果、本発明によれば、制御ボックスを室外機の機械室の正面から容易に外部に取り出すことができ、制御ボックスのサービス時の段取り作業を軽減することが可能となる。さらに、本発明によれば、制御ボックスを室外機の側面或いは上面からではなく、室外機の正面から外部へ取り出すことが可能となるので、複数の室外機を上下方向に段積みして設置したり、或いは横方向に連接して設置したりすることが可能となり、総じて室外機の周囲スペースを有効利用することができる。
【０００８】
【発明の実施の形態】
以下、添付図面を参照しながら、本発明の空気調和機の室外機の実施形態について詳細に説明する。
図１は、本発明の実施形態による室外機を示す概略的な斜視図である。この図１に示すように、本発明の実施形態による室外機１は、底板２、天板４、熱交換器室側フロントパネル６、機械室側フロントパネル８及びサイドパネル１０によって室外機の外枠が形成されている。この室外機１の内部には、圧縮機１２等が設けられた機械室１４と、送風ファン１６及び熱交換器１８が設けられた熱交換器室２０とが、外枠の高さ方向途中まで上下方向に延びる仕切板２２によって仕切られ、２つの部屋１４，２０が形成され、部屋１４、２０の正面がそれぞれ、フロントパネル８，６によって覆われている。
また、仕切板２２の上端と天板４との間の室外機１内の上方のスペースには、機械室１４及び熱交換器室２０の２室にわたって制御ボックス２４が配置され、この制御ボックス２４内のコントローラがインバーター等による室外機の運転をコントロールするようになっている。
【０００９】
図２は、図１に示す本実施形態の室外機１の制御ボックス２４の部分を拡大した斜視図である。この図２に示すように、制御ボックス２４には、制御ボックスの正面を支持する制御ボックス正面支持部材２６と、制御ボックスの背面を支持する制御ボックス背面支持部材２８と、制御ボックスの底面を支持する制御ボックス底面支持部材３０とが設けられている。
制御ボックス正面支持部材２６は、フロントパネル８と制御ボックス２４のフロントパネル８に向かう正面２９との間に介在し、制御ボックス２４の正面２９にボルト締め等により取り外し可能に取り付けられている。
制御ボックス背面支持部材２８は、制御ボックス２４の背面に固定され、制御ボックス２４及び天板４を支持するようになっている。制御ボックス底面支持部材３０は、制御ボックス２４の底面に固定され、制御ボックス２４を支持するようになっている。
【００１０】
また、制御ボックス正面支持部材２６及び制御ボックス背面支持部材２８は、それぞれ仕切板２２の上端に取り外し可能に取り付けられ、制御ボックス正面支持部材２６により室外機１のフロントパネル６，８と制御ボックス２４の正面部分との間に所定の隙間ａ（図１参照）が設けられ、制御ボックス背面支持部材２８により室外機１の背面にある熱交換器１８との間に所定の隙間ｂ（図１参照）が設けられている。一方、制御ボックス底面支持部材３０は、サイドパネル１０の前端にボルト締め等により取り外し可能に取り付けられている。
制御ボックス２４の上面には、制御ボックス２４の上面を機械室１４側と熱交換器室２０側に区画するクッション３２が設けられ、このクッション３２が天板４を支持すると共に機械室１４と熱交換器室２０との間を遮風するようになっている。ここで、クッション３２は、天板４をさらに安定して支持するために、制御ボックス２４の上面の上述した箇所以外にもいくつか設けられてもよい。
【００１１】
図３は、本実施形態の室外機１の制御ボックス２４まわりを左斜め下から見た斜視図である。この図３に示すように、制御ボックス２４の底面には制御ボックス２４の背面から正面に向かって延びる放熱フィン３４が設けられている。この放熱フィン３４により熱交換器室２０内でコントローラの放熱が行われるようになっている。また、放熱フィン３４の底面の一部分には通風路３６が設けられている。この通風路３６は、室外機１の作動中に送風ファン１６の回転によって発生した風の一部を制御ボックス２４の背面から通風路３６内の放熱フィン３４の方へ案内し、この通風路３６内の風が放熱フィン３４を通過して冷却するようになっている。ここで、図３に示すように、放熱フィン３４及び通風路３６それぞれの下端は、仕切板２２の上端よりも上に位置し、制御ボックス２６を外部に取り出す際、仕切り板２２が邪魔にならないように側方から見て制御ボックス２４の底面から下方へ突出させない構成を採用している。
また、上述した本発明の実施形態による室外機１では、制御ボックス２４に通風路３６が設けられた形態を説明しているが、このような形態に限定されず、制御ボックス２４の放熱フィン３４による放熱量が少ない室外機の仕様によっては、通風路３６が設けられていない形態を採用してもよい。
【００１２】
さらに、機械室１４のフロントパネル８は、仕切板２２、制御ボックス正面支持部材２６、制御ボックス底面支持部材３０及びサイドパネル１０のそれぞれの前端にボルト締め等により取り外し可能に取り付けられ、コントローラの保守点検や修理等のサービスを行う際に、後に詳細に説明するように、機械室１４のフロントパネル８のみを取り外して、制御ボックス２４を室外機１の外部へ取り出せるようにしている。
また、制御ボックス２４の右側面とサイドパネル１０との間には、制御ボックス２４が機械室１４側に摺動して、前方に回動できるような隙間ｃ（図１参照）が設けられている。
【００１３】
さらに、制御ボックス２４の背面機械室側の角部３８が面取りされていて、制御ボックス２４が図４の矢印Ａの方向に回動した際に、この角部３８がサイドパネル１０とフロントパネル８の側面に接触しないようになっている。
ここで、本実施形態では、制御ボックス２４の背面機械室側の角部３８については、面取りがなされている例を説明しているが、このことに限定されず、制御ボックスの背面機械室側の角部３８が回動時にサイドパネル１０とフロントパネル８の側面に接触しないように隙間ｃが設けられていれば、面取りがなされていなくてもよい。加えて、制御ボックス２４と機械室１４内の各機器との信号接続配線は、適宜、任意の箇所でコネクタなどにより結線される構成を採用し、取り出しを容易とすることが好適である。
【００１４】
つぎに、図４を参照しながら、上述した本発明の実施形態の室外機１の作用（動作）を制御ボックス２４の取り出し方法とともに説明する。図４は、上述した本発明の実施形態による室外機において制御ボックスを取り出している状態を示す概略的な斜視図である。
制御ボックス２４のサービスを行う際には、まず、仕切板２２、制御ボックス正面支持部材２６、制御ボックス底面支持部材３０及びサイドパネル１０のそれぞれの前端と機械室１４のフロントパネル８との各取付け部分を外し、このフロントパネル８のみを室外機１から取り外す。これにより、機械室１４の正面には制御ボックス２４を外部に取り出す開口が形成される。
次いで、制御ボックス底面支持部材３０とサイドパネル１０との取付け部分を外すとともに、制御ボックス２４の正面２９と制御ボックス正面支持部材２６との取付け部分を外し、制御ボックス正面支持部材２６を外部に取り出す。これにより、制御ボックス正面支持部材２６の奥行き寸法ａが有効に利用することが可能となり、制御ボックス２４を開口から向きを変えながら外部に取り出すのに十分な奥行きが形成される。また、必要に応じて不図示のコネクタ等を取り外す。
【００１５】
次いで、制御ボックス２４の機械室１４側の部分を前方へ引き出すように制御ボックス２４を仕切板２２上で摺動させながら、図４中の矢印Ａの方向に回動させつつ、制御ボックス２４を開口を通じて機械室１４の前方へ送り出す。このように、制御ボックス２４の向きを変えながら、制御ボックス２４の開口に面する側から開口を通じて外部に取り出す結果、取り出される制御ボックス２４の姿勢は、取付け状態の制御ボックス２４の向き（図１）に対してほぼ直角となる。このような手順により制御ボックス２４を機械室１４の前方、すなわち、室外機１の正面から引き出して、室外機１の外部へ完全に取り出す。また、取り出された制御ボックス２４を再び室外機１内の元の正位置に戻す際には、上述の手順と逆の手順を行えばよい。
【００１６】
上述したように本実施形態による室外機１によれば、室外機１の天板４またはサイドパネル１０を取り外さずに、機械室１４側のフロントパネル８のみを取り外し、制御ボックス正面支持部材２６を外して制御ボックス２４の向きを変えるだけで室外機１の機械室１４の正面から容易に制御ボックス２４を取り出すことができる。このため、コントローラのサービス時の段取り作業が軽減される。
また、本実施形態による室外機１では、室外機１から制御ボックス２４を取り出す際に、室外機１の天板４またはサイドパネル１０を取り外す必要がないので、例えば、複数の室外機を上下方向に段積みして設置したり、横方向に連接して設置した状態でも、室外機１の機械室１４の正面から容易に制御ボックス２４を取り出すことができるので、総じて室外機１の外部の上下方向及び横方向のスペースを有効利用することができる。
【００１７】
【発明の効果】
以上説明したように、本発明の制御ボックスの取り出し方法によれば、室外機のコントローラのサービスを行う際に、制御ボックスを室外機の機械室正面から容易に取り出すことが可能となる。
本発明の空気調和機の室外機によれば、室外機の周囲スペースを有効に活用することが可能となる。
【図面の簡単な説明】
【図１】本発明の実施形態による室外機を示す一部破断した概略斜視図である。
【図２】本発明の実施形態による室外機の制御ボックス部分を拡大した斜視図である。
【図３】図２の本発明の実施形態による室外機の制御ボックス部分を左斜め下から見た斜視図である。
【図４】図２の本発明の実施形態による室外機において制御ボックス部分を取り出している状態を示す一部破断した概略斜視図である。
【図５】従来のインバータ式の室外機を示す一部破断した概略斜視図である。
【符号の説明】
１  室外機
２  底板
４  天板
６，８  フロントパネル
１０  サイドパネル
１２  圧縮機
１４  機械室
１６  送風ファン
１８  熱交換器
２０  熱交換器室
２２  仕切板
２４  制御ボックス
２６  制御ボックス正面支持部材
２８  制御ボックス背面支持部材
３０  制御ボックス底面支持部材
３２  クッション
３４  放熱フィン
３６  通風路
３８  制御ボックスの角部
【図１】
2005048974.tif 000003
【図２】
2005048974.tif 000004
【図３】
2005048974.tif 000005
【図４】
2005048974.tif 000006
【図５】
2005048974.tif 000007